(57)【要約】【課題】傘を前方から後方へ移動させて空いている傘保持具まで移動させることができる傘立てを提供する。【解決手段】傘立て本体１の上下に立設された支柱部２の上端部には、水平に配置された支持部材４の基端部を支持させる。支持部材４の左右両側部には、複数の傘保持具５，５′を支持部材４の長手方向（前後方向）に並べて配置する。支柱部２の下端部には、水平に配置された水受け部３の基端部を支持させる。傘保持具５，５′に保持された傘から落ちる水滴を水受け３によって受け止める。【選択図】        図２
2004321216.tif 000002
【特許請求の範囲】
【請求項１】
傘立て本体と、この傘立て本体に長手方向を前後方向に向けて設けられた支持部材と、この支持部材の左右両側部のうちの少なくとも一方の側部に支持部材の長手方向に並んで設けられた複数の傘保持具とを備えたことを特徴とする傘立て。
【請求項２】
上記傘立て本体の左右方向の少なくとも一側部には、左右方向において上記傘保持具より外側に配置された左右方向外側を向く基準面が設けられており、上記基準面と上記傘保持具との間の左右方向における間隔が所定の間隔に設定されていることを特徴とする請求項１に記載の傘立て。
【請求項３】
上記傘立て本体が、上端部に上記支持部材が設けられた支柱部と、上記支持部材の下方にほぼ水平に配置され、傘から落下する水を受け止める水受け部とを有しており、上記支柱部と上記水受け部との少なくとも一方の左右方向における一側部に上記基準面が形成されていることを特徴とする請求項２に記載の傘立て。
【請求項４】
上記支持部材が一つ設けられ、上記傘保持具が上記支持部材の両側部に設けられていることを特徴とする請求項１〜４のいずれかに記載の傘立て。
【請求項５】
上記基準面が上記傘立て本体の両側部にそれぞれ形成されていることを特徴とする請求項４に記載の傘立て。
【請求項６】
上記支持部材の基端部が上記支柱部の上端部に上下方向へ回動可能に設けられ、上記支持部材の回動範囲が、上記支持部材の先端部が基端部に対して前方に位置する使用位置と、上記支持部材の先端部が基端部に対してほぼ鉛直下方に位置する収容位置との間に設定され、
上記支持部材の下端部に上記水受けの部の基端部が回動可能に設けられ、上記水受け部の回動範囲が、上記水受け部が上記傘保持具に保持された傘から落ちる水を受けるためにほぼ水平になった水受け位置と、上記水受け部の先端部が基端部に対してほぼ鉛直上方に位置する折畳位置との間に設定され、
上記支柱部が、上記収容位置に回動した上記支持部材、この支持部材に設けられた上記傘保持具、及び上記折畳位置に回動した水受け部を収容することができるよう、前面が開口した箱状に形成されていることを特徴とする請求項３〜５のいずれかに記載の傘立て。
【発明の詳細な説明】
【０００１】
【発明の属する技術分野】
この発明は、傘を傘保持具によって保持するように構成された傘立てに関する。
【０００２】
【従来の技術】
一般に、この種の傘立ては、傘立て本体と、この傘立て本体の上端部に長手方向を左右方向に向けて設けられた支持部材と、この支持部材の前方を向く側面に左右方向に並んで設けられた多数の傘保持具とを備えている。各傘保持具は、その前面に収容凹部が形成されており、この収容凹部にその前面開口部から傘の柄部を挿入すると、ロック部材が柄部の挿入に連動して動作する。そして、傘が収容凹部の奥まで挿入されると、ロック部材により傘の柄部が収容凹部に脱出不能に保持される（例えば、特許文献１参照。）。
【０００３】
【特許文献１】
特開平８−３０８７１１号公報（第２〜３頁、図１、図２）
【０００４】
【発明が解決しようとする課題】
上記従来の傘立てにおいて、空いている傘保持具に傘を保持させる場合には、支持部材が左右方向に延びているため、傘を左右方向に移動させなければならず、前方から空いている傘保持具まで移動させることができない。しかも、上記公報に記載の傘立て具においては、前後に隣接する支持部材の左右両端部間が閉じられているため、傘を一旦傘保持具より上方へ移動させなければならない。傘を傘保持具より上方へ移動させると、傘に付着した雨水が滴り落ちて他の傘保持具に全て保持されている傘の特に柄部を濡らしてしまうという問題があった。
【０００５】
【課題を解決するための手段】
この発明は、上記の問題を解決するためになされたもので、傘立て本体と、この傘立て本体に長手方向を前後方向に向けて設けられた支持部材と、この支持部材の左右両側部のうちの少なくとも一方の側部に支持部材の長手方向に並んで設けられた複数の傘保持具とを備えたことを特徴としている。
この場合、上記傘立て本体の左右方向の少なくとも一側部には、左右方向において上記傘保持具より外側に配置された左右方向外側を向く基準面が設けられており、上記基準面と上記傘保持具との間の左右方向における間隔が所定の間隔に設定されていることが望ましい。
上記傘立て本体が、上端部に上記支持部材が設けられた支柱部と、上記支持部材の下方にほぼ水平に配置され、傘から落下する水を受け止める水受け部とを有しており、上記支柱部と上記水受け部との少なくとも一方の左右方向における一側部に上記基準面が形成されていることが望ましい。
上記支持部材が一つ設けられ、上記傘保持具が上記支持部材の両側部に設けられていることが望ましい。この場合には、上記基準面が上記傘立て本体の両側部にそれぞれ形成されていることが望ましい。
上記支持部材の基端部が上記支柱部の上端部に上下方向へ回動可能に設けられ、上記支持部材の回動範囲が、上記支持部材の先端部が基端部に対して前方に位置する使用位置と、上記支持部材の先端部が基端部に対してほぼ鉛直下方に位置する収容位置との間に設定され、上記支持部材の下端部に上記水受けの部の基端部が回動可能に設けられ、上記水受け部の回動範囲が、上記水受け部が上記傘保持具に保持された傘から落ちる水を受けるためにほぼ水平になった水受け位置と、上記水受け部の先端部が基端部に対してほぼ鉛直上方に位置する折畳位置との間に設定され、上記支柱部が、上記収容位置に回動した上記支持部材、この支持部材に設けられた上記傘保持具、及び上記折畳位置に回動した水受け部を収容することができるよう、前面が開口した箱状に形成されていることが望ましい。
【０００６】
【発明の実施の形態】
以下、この発明の実施の形態について図１〜図１５を参照して説明する。
図１〜図７は、この発明の第１の実施の形態を示す。この実施の形態の傘立てＡは、図１〜図３に示すように、傘立て本体１を備えている。傘立て本体１は、長手方向を上下に向けて立設された支柱部２と、この支柱部２の下端部に設けられた水受け部３とを有している。
【０００７】
支柱部２は、前面が開口した箱状に形成されている。支柱部２の上端面の左右方向における両端部には、一対の軸受部２ａ，２ａが一体に設けられている。支柱部２の上壁部のうち、一対の軸受部２ａ，２ａ間に位置する部分には、切欠き部２ｂが形成されている。支持部２の下壁部には、切欠き部２ｃが形成されている。この切欠き部２ｃは、左右方向において切欠き部２ｂとほぼ同一の位置に配置され、切欠き部２ｂとほぼ同一の幅（左右方向の幅）を有している。
【０００８】
一対の軸受部２ａ，２ａ間には、支持部材４の基端部が挿入されている。支持部材４の基端部は、軸受部２ａ，２ａにより左右方向に延びる水平な軸線を中心として上下方向へ回動可能に支持されている。支持部材４の回動範囲は、支持部材４の先端部がその基端部に対して水平方向前方に位置する使用位置と、支持部材４の先端部がその基端部に対して鉛直下方に位置する収容位置との間に規制されている。支持部材４は、使用位置に位置しているときには、支柱部２と支持部材４との間に設けられた係止機構（図示せず）により、使用位置に維持されている。係止機構による係止を解除すると支持部材４が使用位置から収容位置まで回動可能になる。支持部材４が収容位置に回動すると、支持部材４の軸受部２ａ，２ａに対して下側に隣接する部分が切欠き部２ｂに入り込むとともに、支持部材４の切欠き部２ｂより下側の部分のほぼ全体が支柱部２の内部に収容される。
【０００９】
図２、図５及び図６に示すように、支持部材４の左右方向における一側部（図５において左側部）には複数の傘保持部５が設けられ、他側部には複数の傘保持部５′が設けられている。したがって、傘保持具５，５′は、支持部材４と一体に使用位置と収容位置との間を回動する。しかも、傘保持具５，５′は、支持部材４が収容位置に回動すると、ほぼ全体が支柱部２の内部に収容されるようになっている。
【００１０】
傘保持具５と傘保持具５′とは、図２からも明かなように、支柱部２の左右方向における中央を通る線に関して左右対称に設けられている。そこで、傘保持具５についてのみ説明し、傘保持具５′については傘保持具５と同様な部分に同一符号を付してその説明を省略する。なお、傘保持具５の構成は、傘保持具５が使用位置に回動した状態に基づいて説明する。
【００１１】
傘保持具５の左方を向く一側面５ａには、収容凹部５ｂが形成されている。この収容凹部５ｂは、後方へ向うにしたがって深さが深くなるように、前後方向に対して傾斜した状態で形成されている。傘保持具５が解錠状態になっているとき、収容凹部５ｂの奥側の端部には、ロック部材５ｃの当接部５ｄが配置されており、開口部側にはロック部材５ｃの係合部５ｅが配置されている。傘の柄部（図示せず）が収容凹部５ｂにその開口部から傾斜方向にほぼ沿って挿入されて当接部５ｄに突き当たると、当接部５ｄが柄部によって同方向へ変位させられる。すると、ロック部材５ｃが回動して、その係合部５ｅが図５において矢印で示すように回動変位し、傘の柄部が収容凹部５ｂからその開口部を通って脱出するのを阻止される。このようにして傘保持具５が施錠状態になる。施錠時には、傘保持具５の鍵５ｆが鍵穴５ｇから抜き取り可能であり、鍵５ｆを鍵穴５ｇから抜き取ることによって盗難が防止される。傘の柄部を収容凹部５ｂから抜き出す場合には、鍵孔５ｇに鍵５ｆを挿入して開方向（図５において「ＯＰＥＮ」で示される矢印方向）ヘ回動させる。すると、ロック部材５ｃが同方向へ回動して当接部５ｄ及び係合部５ｅが図５に示す元の解錠位置に戻る。これにより、傘を収容凹部５ｂから抜き出すことができる。なお、傘保持具５の施錠及び開錠機構は、周知のものと同様であるのでその詳細な説明は省略する。
【００１２】
傘保持部５の左方を向く一側面５ａは、傘立てＡ全体のうちで最も左側に位置する支柱部２の左側面（基準面）２ｄに対して所定距離だけ内側に離れて配置されている。側面２ｄ，５ａ間の左右方向における長さ（間隔）は、例えば次のいずれかの寸法に設定されている。なお、この実施の形態では、傘保持部材５の右方を向く側面５ａも、傘立てＡ全体のうちで最も右側に位置する支柱部２の右側面（基準面）２ｅに対して側面２ｄ，５ａ間の距離と同一距離だけ内側に離れて配置されている。
【００１３】
いま、支柱部２の側面２ｄを鉛直な壁面に面接触させ、それによって支持部材４を当該鉛直な壁面と平行に配置したものとする。すると、壁面と傘保持具５の側面５ａとの間には、側面２ｄ，５ａ間の間隔と同一の寸法を有する隙間が形成される。この隙間を通して傘を壁面と傘保持具５との間に挿入することができるように、側面２ｄ，５ａ間の間隔が設定されている。
【００１４】
また、図２又は図３に示すように、複数の傘立てＡを支柱部２の一側面２ｄと他側面２ｅとが面接触するようにして左右方向に並べたものとする。このときには、一方の傘立てＡの傘保持具５（５′）の側面５ａと他方の傘立てＡの傘保持具５′，（５）の側面５ａとの間に側面２ｄ，５ａ間の間隔の２倍の寸法を有する隙間が形成される。この隙間を通して傘を傘立てＡの傘保持具５（５′）と傘立てＡの傘保持具５′，（５）との間に挿入することができるように、側面２ｄ，５ａ間の間隔が設定されている。
【００１５】
支柱部２の前面の下端部には、水受け部３の基端部が水平な軸線を中心として回動可能に支持されている。水受け部３は、上面が開口した深さの浅い平面視長方形の容器状に形成されている。水受け部３は、いずれの傘保持具５に保持された傘から滴り落ちる水滴をも受け止めることができるように、その前後方向の長さ及び左右方向の幅が定められている。しかも、水受け部３の幅は、そのような条件を満たす範囲において支柱部２の左右方向の幅より狭く設定されている。したがって、水受け部３の両側面は、支柱部２の両側面（基準面）２ｄ，２ｅより左右方向において内側に位置している。
【００１６】
水受け部３の回動範囲は、その先端部が支柱部２からほぼ水平方向前方に延びる図１に示す水受け位置と、先端部が基端部からほぼ鉛直上方に向って延びる折畳位置との間に規制されている。水受け部３は、傘立てＡの通常の使用時には、使用位置に位置させられ、傘保持部５に保持された傘から滴り落ちる水滴を受け止める。その一方、傘立てＡの不使用時には、折畳位置に回動させられる。このとき、水受け部３の上面の先端部が収容位置に位置させられた傘保持具５の上面にほぼ接触した状態になっている。
【００１７】
支柱部２の前面の左右方向の一側部には、化粧蓋６の一側部が上下方向を向く軸線を中心として図４において実線で示す閉位置と、想像線で示す開位置との間を回動可能に設けられている。化粧蓋６は、開位置に位置したときには、支持部材４及び傘保持具５が使用位置と収容位置との間を回動するのを許容するとともに、水受け部３が水受け位置と折畳位置との間を回動するのを許容する。化粧蓋６は、閉位置に位置したときには、収容位置に回動した支持部材４の上端部を除く全体、支持部材４に設けられた全ての傘保持具５及び水受け部３を覆い隠す。化粧蓋６は、支持部材４が使用位置に位置し、かつ水受け部３が水受け位置に位置した傘立てＡの使用時にも、閉位置に回動させられ、支柱部２の内部を覆っている。化粧蓋６の左右方向の幅は、支柱部２の左右方向の幅より狭くなっており、化粧蓋６が閉位置に位置したとき、その左右方向の両側面は、支柱部２の両側面２ｄ，２ｅより左右方向において内側に位置している。
【００１８】
上記構成の傘立てＡにおいては、使用位置に位置している支持部材４が前後方向に延びており、それに対応して傘保持具５，５′が前後方向に並んで設けられているので、傘を前後方向に移動させて空いている傘保持具５，５′まで移動させることができる。特に、図２又は図３に示すように、複数の傘立てＡを左右に並べて設けた場合であっても、一方の傘立てＡの傘保持具５，（５′）と他方の傘立てＡの傘保持具５′，（５）との間には隙間が形成されるので、この隙間を通して傘を後方へ移動させて、空いた傘保持具５（５′）のところまで移動させることができる。しかも、一方の傘立てＡの傘保持具５，（５′）と他方の傘立てＡの傘保持具５′，（５）との間に形成される隙間は、前方に開放されているので、傘を空いている傘保持具５（５′）まで移動させるときに、一旦傘立てＡの上側へ移動させる必要がない。したがって、傘立てＡに保管させようとする傘から滴り落ちる水滴により、傘立てＡに既に保管された他の傘の柄部等を濡らすような事態を未然に防止することができる。さらに、支持部材４の両側部に傘保持具５，５′が設けられているので、一側部にのみ設ける場合に比して傘保持具５，５の設置数を増やすことができる。このような点は、傘立てＡを鉛直な壁面に沿って配置した場合も同様である。なお、支持部材が左右方向に延びている従来の傘立てにおいても、支持部材の両側部に傘保持具を設けることは可能であるが、そのようにした場合には支持部材の後側に配置された傘保持具の使い勝手が非常に悪いという問題がある。
【００１９】
次に、この発明の他の実施の形態について説明する。なお、以下の実施の形態については、上記実施の形態と異なる構成についてのみ説明し、同様な部分には、同一符号を付してその説明を省略する。
【００２０】
図８〜図１１は、この発明の第２の実施の形態を示す。この実施の形態の傘立てＢにおいては、傘立て本体１に代えて傘立て本体１′が用いられている。傘立て本体１′は、左右方向に互いに離れて配置された一対の基部７，７を有しており、一対の基部７，７は、それらの間に配置された連結部材８によって連結固定されている。各基部７，７の下面の前端部と後端部とには、ストップ機構付きのキャスターＫが設けられている。これにより、傘立てＢを容易に移動させることができるとともに、所望の位置に位置固定することができるようになっている。各基部７，７の上面には、支柱部８，８がそれぞれ鉛直に立設されている。支柱部８，８の上下方向における中間部には補強部材９が架け渡されている。支柱部８，８の上端部間には、回動部材１０が左右方向に延びる水平な軸線を中心として回動可能に設けられている。支柱部８，８の下端部間には、水受け部３の基端部が水平な軸線を中心として回動可能に支持されている。
【００２１】
回動部材１０には、複数の支持部材１１の各基端部が固定されている。各支持部材１１は、回動部材１０の長手方向（左右方向）へ互いに離れて配置されている。しかも、各支持部材１１は、回動部材１０の周方向において同一位置に配置され、互いに平行に同一方向に延びている。勿論、各支持部材１１は、使用位置ではほぼ水平になっており、収容位置ではほぼ鉛直になっている。支持部材１１の左右方向の両側部には、傘保持具５，５′が支持部材１１の長手方向に沿って複数個ずつ設けられている。左右に隣接する支持部材１１，１１のうちの、一方の支持部材１１に設けられた傘保持具５（５′）と他方の支持部材１１に設けられた傘保持具５′（５）との間には、傘を前後方向へ移動させるだけの隙間が形成されている。この隙間は、その前端部から傘を後方へ挿入することができるよう前端部が開放されている。支持部材１１及び水受け部３は、支持部材１１を収容位置に回動させた後、水受け部３を折畳位置に回動させ、水受け部３を支柱部８に設けられた係止部材８ａに係止させることにより、支持部材１１及び水受け部３をそれぞれ収容位置及び折畳位置に維持することができる。
【００２２】
図１２〜図１５は、この発明の第３の実施の形態を示す。この実施の形態の傘立てＣにおいては、傘立て本体１″が用いられている。この傘立て本体１″においては、水受け部３の下面部にキャスターＫが設けられている。水受け部３の前面には、左右方向に離れて配置された複数の前支柱部（支柱部）１２の各下端部固定され、水受け部３の背面には、左右方向に離れて配置された複数の後支柱部（支柱部）１３の各下端部が固定されている。前後方向に対向する前支柱部１２と後支柱部１３との上端部には、前後方向へ水平に延びる支持部材１４の前端部と後端部とがそれぞれ支持固定されている。つまり、上記二つの実施の形態では、支持部材４，１１が片持ち状態であったのに対し、この傘立てＣでは、支持部材１４が両持ち状態で支持されている。水受け部３の左右の側面（基準面）３ａ，３ｂは、傘立てＣ全体のいずれの箇所より左右方向において外側に位置しており、傘保持具５，５′の各側面５ａに対し、上記の第１の実施の形態の側面２ｄ，２ｅと側面５ａとの関係と同様の関係をもって離間させられている。したがって、複数の傘立てＣについては、一方の傘立てＣの側面３ａ（３ｂ）と他方の傘立てＣの側面３ｂ（３ａ）とを互いに面接触させた状態で左右に並べることにより、複数の傘立てＣをあたかも一つの傘立てであるかのようにして使用することができる。
【００２３】
なお、この発明は、上記の実施の形態に限定されることなく、適宜変更可能である。
例えば、上記の実施の形態においては、使用位置に位置している支持部材４，１１，１４を水平に配置しているが、前方へ向うにしたがって下方へ向うように傾斜させて配置してもよい。
また、第２の実施の形態の傘立てＢでは、キャスターＫが左右の支柱部８，８の外側の側面８ａ，８ａより外側に位置しているが、キャスターＫを側面８ａより内側に設けとともに、側面８ａと傘保持具５（５′）の側面５ａとの関係を第１の実施の形態のそれらの関係と同様にすることにより、側面８ａを基準面とすることができ、複数の傘立てＢを左右に並べて使用することができる。
さらに、上記の実施の形態においては、側面２ｄ，２ｅ；８ａ，８ａ，３ａ，３ｂ全体を基準面としているが、それらの一部に基準面を形成し、複数の傘立てを左右に並べたときにその基準面だけを接触させるようにしてもよい。
さらにまた、この発明の傘立ては、躯体の壁部に収容可能に設けることも可能である。そのような傘立てでは、躯体の壁部が傘立て本体として用いられる。傘立て本体をなす壁部の壁面には、上下に延びる凹部が形成される。この凹部の上端部には支持部材が使用位置と収容位置との間を回動可能に設けられ、凹部の下端部には水受け部が水受け位置と折畳位置との間を回動可能に設けられる。躯体の壁面の凹部に対して左右いずれかに一方に隣接する箇所には、化粧蓋が設けられる。収容位置及び折畳位置にそれぞれ回動した支持部材及び水受け部、並びに支持部材に取り付けられた傘保持具は凹部に収容される。そして、開位置から閉位置に回動させられた化粧蓋によって凹部が閉じられ、支持部材、水受け部及び傘保持具が外部から遮蔽される。
【００２４】
【発明の効果】
以上説明したように、この発明によれば、傘を空いている傘保持具まで前方から移動させることができる。しかも、傘を空いている傘保持具まで移動させる際に一旦傘立てより上方へ移動させる必要がないので、傘に付着した雨水によって傘立てに既に保管された他の傘保持具の柄部等を濡らすような事態を未然に防止することができ、さらに傘保持具の設置数を増やすことができるという効果が得られる。
【図面の簡単な説明】
【図１】この発明の第１の実施の形態を示す側面図である。
【図２】同実施の形態の平面図である。
【図３】同実施の形態の正面図である。
【図４】同実施の形態を、支持部材及び水受けを支柱部内に収容した状態で示す平面図である。
【図５】同実施の形態の支持部材の両側部に取り付けられた一対の傘保持具を示す平面図である。
【図６】同傘保持部の正面図である。
【図７】同傘保持具の側面図である。
【図８】この発明の第２の実施の形態を示す正面図である。
【図９】同実施の形態の平面図である。
【図１０】同実施の形態の側面図である。
【図１１】同実施の形態を、支持部材を収容位置に、水受け部を折畳位置にそれぞれ回動させた状態で示す側面図である。
【図１２】この発明の第３の実施の形態を示す正面図である。
【図１３】同実施の形態の平面図である。
【図１４】同実施の形態の側面図である。
【図１５】図１３のＸ−Ｘ線に沿う断面図である。
【符号の説明】
Ａ  傘立て
Ｂ  傘立て
Ｃ  傘立て
１  傘立て本体
１′  傘立て本体
１″  傘立て本体
２  支柱部
２ｄ  側面（基準面）
２ｅ  側面（基準面）
３  水受け部
４  支持部材
５  傘保持具
５′  傘保持具
８  支柱部
８ａ  側面（基準面）
１１  支持部材
１２  前支柱部（支柱部）
１３  後支柱部（支柱部）
１４  支持部材
【図１】
2004321216.tif 000003
【図２】
2004321216.tif 000004
【図３】
2004321216.tif 000005
【図４】
2004321216.tif 000006
【図５】
2004321216.tif 000007
【図６】
2004321216.tif 000008
【図７】
2004321216.tif 000009
【図８】
2004321216.tif 000010
【図９】
2004321216.tif 000011
【図１０】
2004321216.tif 000012
【図１１】
2004321216.tif 000013
【図１２】
2004321216.tif 000014
【図１３】
2004321216.tif 000015
【図１４】
2004321216.tif 000016
【図１５】
2004321216.tif 000017
【手続補正書】
【提出日】平成15年5月23日(2003.5.23)
【手続補正１】
【補正対象書類名】図面
【補正対象項目名】全図
【補正方法】変更
【補正の内容】
【図１】
2004321216.tif 000018
【図２】
2004321216.tif 000019
【図３】
2004321216.tif 000020
【図４】
2004321216.tif 000021
【図５】
2004321216.tif 000022
【図６】
2004321216.tif 000023
【図７】
2004321216.tif 000024
【図８】
2004321216.tif 000025
【図９】
2004321216.tif 000026
【図１０】
2004321216.tif 000027
【図１１】
2004321216.tif 000028
【図１２】
2004321216.tif 000029
【図１３】
2004321216.tif 000030
【図１４】
2004321216.tif 000031
【図１５】
2004321216.tif 000032